(57)【特許請求の範囲】
【請求項１】
他の端末からメッセージを受信可能な端末であって、
通信を行う通信部と、
前記端末の設定を行うことが可能な他の端末を設定可能端末として記憶する記憶部と、
他の端末から前記通信部を介してメッセージを受信した場合において、前記メッセージに前記端末の設定を行うための設定指示が含まれるときは、前記他の端末が前記設定可能端末であるときに、前記設定指示に基づいて前記端末の設定を行う設定部と、
を備え、
端末情報管理サーバにより、各端末について、当該端末に係る前記設定可能端末を変更することが可能な他の端末が当該端末に係る変更可能端末として管理されており、
前記設定指示が前記設定可能端末の変更を行うための設定指示であるときは、前記他の端末が前記設定可能端末且つ前記端末に係る前記変更可能端末であるときに、前記設定部は、前記設定指示に基づいて前記設定可能端末の変更を行う、
ことを特徴とする端末。
【請求項２】
前記端末情報管理サーバにより、各端末について、当該端末に係る前記設定可能端末となることが可能な他の端末が当該端末に係る設定可能候補端末としてさらに管理されており、
前記設定指示が前記設定可能端末の追加を行うための設定指示であるときは、前記他の端末が前記設定可能端末且つ前記端末に係る前記変更可能端末であり、且つ追加される他の端末が前記端末に係る前記設定可能候補端末であるときに、前記設定部は、前記設定指示に基づいて前記設定可能端末の追加を行う、請求項１に記載の端末。
【請求項３】
入力を受け付ける入力部をさらに備え、
前記入力部を介して前記設定を行うことを許可する入力を受け付けた場合に、前記設定部は、前記設定を行う、請求項１又は２に記載の端末。
【請求項４】
前記記憶部は、前記設定の完了を通知する他の端末を設定完了通知端末としてさらに記憶し、
前記設定が完了した場合に、前記設定部は、前記設定の完了を示すメッセージを、前記通信部を介して前記設定完了通知端末に送信する、請求項１〜３のいずれか一項に記載の端末。
【請求項５】
他の端末にメッセージを送信可能な第１端末と、他の端末からメッセージを受信可能な第２端末とを備える端末管理システムであって、
前記第１端末は、
通信を行う第１通信部と、
前記第１通信部を介して前記第２端末に当該第２端末の設定を行うための設定指示を含むメッセージを送信する設定要求部とを備え、
前記第２端末は、
通信を行う第２通信部と、
前記第２端末の設定を行うことが可能な他の端末を設定可能端末として記憶する記憶部と、
前記第１端末から前記第２通信部を介して前記メッセージを受信した場合において、前記第１端末が前記設定可能端末であるときに、前記メッセージに含まれる前記設定指示に基づいて前記第２端末の設定を行う設定部とを備え、
端末情報管理サーバにより、各端末について、当該端末に係る設定可能端末を変更することが可能な他の端末が当該端末に係る変更可能端末として管理されており、
前記設定指示が前記設定可能端末の変更を行うための設定指示であるときは、前記他の端末が前記設定可能端末且つ前記端末に係る前記変更可能端末であるときに、前記設定部は、前記設定指示に基づいて前記設定可能端末の変更を行う、
ことを特徴とする端末管理システム。
【請求項６】
他の端末からメッセージを受信可能な端末であって、当該端末の設定を行うことが可能な他の端末を設定可能端末として記憶する記憶部を備える端末の制御プログラムであって、
端末情報管理サーバにより、各端末について、当該端末に係る前記設定可能端末を変更することが可能な他の端末が当該端末に係る変更可能端末として管理されており、
前記端末に、
他の端末からメッセージを受信した場合において、前記メッセージに前記端末の設定を行うための設定指示が含まれるときは、前記他の端末が前記設定可能端末であるときに、前記設定指示に基づいて前記端末の設定を行い、
前記設定指示が前記設定可能端末の変更を行うための設定指示であるときは、前記他の端末が前記設定可能端末且つ前記端末に係る前記変更可能端末であるときに、前記設定指示に基づいて前記設定可能端末の変更を行う、
ことを実行させることを特徴とする端末の制御プログラム。
【発明の詳細な説明】
【技術分野】
【０００１】
本発明は、端末、端末管理システム、及び端末の制御プログラムに関する。
【背景技術】
【０００２】
近年、携帯電話（所謂「フィーチャーフォン」）や多機能携帯電話（所謂「スマートフォン」）、タブレット端末等が急速に普及している。
【０００３】
ところで、従来の携帯電話等は、比較的小面積の操作面に多数のダイヤルキーボタン群や各種ファンクションキーボタン群を配設し、これらのキーボタン群を用いて、相手先のダイヤル番号を入力したり、各種機能（例えば、電話帳機能等）を利用したりするようになっているが、キーボタンの多さや、操作手順に所定のルールがあることから、不慣れなものには操作が複雑過ぎて、特に、小さな子どもや老人にとっては大きな負担となり、携帯電話等を使いこなせないという問題があった。
【０００４】
そこで、小さな子どもや老人等、誰にでも簡単・容易に使いこなせる、操作を極めて簡易化した携帯電話等（以下「簡易携帯電話等」と称する）が提供されている。
【０００５】
例えば、特許文献１には、筐体本体と、複数の通話先を記憶する記憶手段と、筐体本体の外表面に通話先を表示する機械的表示部と、記憶手段に記憶した各通話先データを機械的表示部に割り当てる制御手段と、筐体本体に対して摺動可能に取り付けられ、機械的表示部に表示された通話先を機械的に選択する設定操作部とを有する携帯端末が開示されている。
【先行技術文献】
【特許文献】
【０００６】
【特許文献１】特開２００６−１２１３０５号公報
【発明の概要】
【発明が解決しようとする課題】
【０００７】
このように、様々な簡易携帯電話等が提供されている。しかしながら、従来の簡易携帯電話等は、操作を極めて簡易化することにより、その使用は簡単・容易になったものの、それに伴って、その設定はむしろ煩雑になってしまっている。販売員や保守員、家族等、操作に慣れているものが近くにいれば、そのものに設定をしてもらうことも可能ではあるが、そのようなものが必ずしも近くにいるとは限らない。
【０００８】
このように、従来の簡易携帯電話等は、その使用に重点が置かれており、その設定については十分に考慮されていなかった。本発明は、このような課題を解決すべくなされたものであり、設定を簡便に行うことを可能とする端末、端末管理システム、及び端末の制御プログラムを提供することを目的とする。
【課題を解決するための手段】
【０００９】
本発明に係る端末は、他の端末からメッセージを受信可能な端末であって、通信を行う通信部と、端末の設定を行うことが可能な他の端末を設定可能端末として記憶する記憶部と、他の端末から通信部を介してメッセージを受信した場合において、メッセージに端末の設定を行うための設定指示が含まれるときは、他の端末が設定可能端末であるときに、設定指示に基づいて端末の設定を行う設定部とを備える。
【００１０】
また、本発明に係る端末において、端末情報管理サーバにより、各端末について、当該端末に係る設定可能端末を変更することが可能な他の端末が当該端末に係る変更可能端末として管理されており、設定指示が設定可能端末の変更を行うための設定指示であるときは、他の端末が設定可能端末且つ端末に係る変更可能端末であるときに、設定部は、設定指示に基づいて設定可能端末の変更を行うことが好ましい。
【００１１】
また、本発明に係る端末において、端末情報管理サーバにより、各端末について、当該端末に係る設定可能端末となることが可能な他の端末が当該端末に係る設定可能候補端末としてさらに管理されており、設定指示が設定可能端末の追加を行うための設定指示であるときは、他の端末が設定可能端末且つ端末に係る変更可能端末であり、且つ追加される他の端末が端末に係る設定可能候補端末であるときに、設定部は、設定指示に基づいて設定可能端末の追加を行うことが好ましい。
【００１２】
また、本発明に係る端末において、入力を受け付ける入力部をさらに備え、入力部を介して設定を行うことを許可する入力を受け付けた場合に、設定部は、設定を行うことが好ましい。
【００１３】
また、本発明に係る端末において、記憶部は、設定の完了を通知する他の端末を設定完了通知端末としてさらに記憶し、設定が完了した場合に、設定部は、設定の完了を示すメッセージを、通信部を介して設定完了通知端末に送信することが好ましい。
【００１４】
本発明に係る端末は、他の端末にメッセージを送信可能な端末であって、通信を行う通信部と、通信部を介して他の端末に当該他の端末の設定を行うための設定指示を含むメッセージを送信する設定要求部とを備える。
【００１５】
本発明に係る端末管理システムは、他の端末にメッセージを送信可能な第１端末と、他の端末からメッセージを受信可能な第２端末とを備える端末管理システムであって、第１端末は、通信を行う第１通信部と、第１通信部を介して第２端末に当該第２端末の設定を行うための設定指示を含むメッセージを送信する設定要求部とを備え、第２端末は、通信を行う第２通信部と、第２端末の設定を行うことが可能な他の端末を設定可能端末として記憶する記憶部と、第１端末から第２通信部を介してメッセージを受信した場合において、第１端末が設定可能端末であるときに、メッセージに含まれる設定指示に基づいて第２端末の設定を行う設定部とを備える。
【００１６】
本発明に係る端末の制御プログラムは、他の端末からメッセージを受信可能な端末であって、当該端末の設定を行うことが可能な他の端末を設定可能端末として記憶する記憶部を備える端末の制御プログラムであって、端末に、他の端末からメッセージを受信した場合において、メッセージに端末の設定を行うための設定指示が含まれるときは、他の端末が設定可能端末であるときに、設定指示に基づいて端末の設定を行うことを実行させる。
【００１７】
本発明に係る端末の制御プログラムは、他の端末にメッセージを送信可能な端末の制御プログラムであって、端末に、他の端末に当該他の端末の設定を行うための設定指示を含むメッセージを送信することを実行させる。
【発明の効果】
【００１８】
本発明に係る端末、端末管理システム、及び端末の制御プログラムは、他の端末からメッセージを介して端末の設定を行えるようにすることにより、端末の設定を簡便に行うことを可能とする。
【図面の簡単な説明】
【００１９】
【図１】端末管理システムの概略構成の一例を示す図である。
【図２】管理端末の概略構成の一例を示す図である。
【図３】管理端末の表示画面の一例を示す図である。
【図４】管理端末の表示画面の他の一例を示す図である。
【図５】被管理端末の概略構成の一例を示す図である。
【図６】被管理端末情報管理サーバの概略構成の一例を示す図である。
【図７】端末管理システムの動作シーケンスの一例を示す図である。
【図８】端末管理システムの動作シーケンスの他の一例を示す図である。
【図９】設定指示管理テーブルのデータ構造の一例を示す図である。
【図１０】被管理端末の概略構成の一例を示す図である。
【図１１】端末管理システムの動作シーケンスの一例を示す図である。
【発明を実施するための形態】
【００２０】
以下、図面を参照しつつ、本発明の様々な実施形態について説明する。ただし、本発明の技術的範囲はそれらの実施形態に限定されず、特許請求の範囲に記載された発明とその均等物に及ぶ点に留意されたい。
【００２１】
（第１実施形態）
１．本実施形態の概略
本実施形態では、管理端末のユーザは、管理端末にインストールされた被管理端末設定用アプリケーションプログラムを用いて、被管理端末との通信手段を意識することなく、被管理端末の設定（例えば、「電話帳の編集」）を指示する。この設定指示は、メッセージ送受信用アプリケーションプログラムによりＭＭＳ（Multimedia Messaging Service）形式のメッセージとして被管理端末に送信される。被管理端末は、メッセージを受信した場合に、受信したメッセージが被管理端末の設定を行うことが許可されている管理端末から送信されたものであれば、受信したメッセージに含まれる設定指示に基づいて被管理端末の設定を行う。
【００２２】
２．端末管理システム１の構成
図１は、端末管理システム１の概略構成の一例を示す図である。
【００２３】
端末管理システム１では、複数の不図示の交換機が、広域通信回線網である通信ネットワーク４を介して相互に接続される。各交換機は、ある地域をカバーする無線通信ネットワークを通信ネットワーク４に接続する。無線通信ネットワークには、地域内をカバーする無線ゾーンを管理するように複数の基地局３が配置される。各基地局３は、それぞれが属する不図示の無線ネットワーク制御装置を介して交換機に接続される。また、通信ネットワーク４には、メッセージの配信を制御するＭＭＳサーバ５と、被管理端末（後述）の端末情報を管理する被管理端末情報管理サーバ６とが接続される。そして、ある地域内の携帯端末２が、その地域内外の他の携帯端末２等と通信を行う際に、携帯端末２は、基地局３を介して交換機に接続され、さらに通信ネットワーク４に接続される。
【００２４】
なお、本実施形態では、無線通信システムとして、移動通信システムを想定するが、本発明はこれに限定されるものではない。無線通信システムは、本発明が適用可能であればよく、例えば、無線ＬＡＮ（Local Area Network）等でもよい。
【００２５】
また、本実施形態では、ユーザとしてユーザａ及びユーザｂを想定し、ユーザａを管理者（例えば、長男）とし、ユーザｂを被管理者（例えば、父）とする。また、管理者により所持され、無線通信ネットワークに接続可能な状態にある携帯端末２を管理端末２ａとし、被管理者により所持され、無線通信ネットワークに接続可能な状態にあり、操作が極めて簡易化された携帯端末２を被管理端末２ｂとする。さらに、管理端末２ａに係る基地局３を基地局３ａとし、被管理端末２ｂに係る基地局３を基地局３ｂとする。
【００２６】
また、本実施形態では、携帯端末２として、多機能携帯電話を想定するが、本発明はこれに限定されるものではない。携帯端末２は、本発明が適用可能であればよく、例えば、携帯電話や携帯情報端末（Personal Digital Assistant, PDA）、携帯ゲーム機、携帯音楽プレーヤ、タブレット端末、タブレットＰＣ、ノートＰＣ等でもよい。
【００２７】
さらに、本実施形態では、メッセージの形式及び送信方式として、ＭＭＳを想定するが、本発明はこれに限定されるものではない。メッセージは、本発明が適用可能であればよく、例えば、ＳＭＳ（Short Message Service）メッセージやインスタントメッセージ、インターネットメール、その他の電子メールでもよい。
【００２８】
２．１．管理端末２ａの構成
図２（ａ）は、管理端末２ａの概略構成の一例を示す図である。
【００２９】
管理端末２ａは、被管理端末２ｂの設定の指示を受け付け、この設定指示を含むメッセージを作成し、作成したメッセージを被管理端末２ｂに送信する。また、被管理端末２ｂから設定の完了又は未了を示すメッセージを受信した場合に、管理端末２ａは、受信したメッセージの内容を表示する。そのために、管理端末２ａは、端末通信部２１と、端末記憶部２２ａと、端末操作部２３と、端末表示部２４と、端末処理部２５ａとを備える。
【００３０】
端末通信部２１は、２．１ＧＨｚ帯を感受帯域とするアンテナを含む、通信インターフェース回路を備え、携帯端末２を無線通信ネットワークに接続する。端末通信部２１は、基地局３により割り当てられるチャネルを介して、基地局３との間でＣＤＭＡ（Code Division Multiple Access）方式等による無線信号回線を確立し、基地局３との間で通信を行う。そして、端末通信部２１は、端末処理部２５から供給されたデータを、他の携帯端末２等に送信する。また、端末通信部２１は、他の携帯端末２等から受信したデータを、端末処理部２５に供給する。また、さらに、端末通信部２１は、テレビ放送を受信するアンテナや、ＧＰＳ（Global Positioning System）信号を受信するアンテナ等を備えてもよい。
【００３１】
端末記憶部２２ａは、例えば、半導体メモリ装置を備える。端末記憶部２２ａは、端末処理部２５ａでの処理に用いられるオペレーティングシステムプログラムやドライバプログラム、アプリケーションプログラム、データ等を記憶する。例えば、端末記憶部２２ａは、ドライバプログラムとして、端末操作部２３を制御する入力デバイスドライバプログラムや、端末表示部２４を制御する出力デバイスドライバプログラム等を記憶する。また、端末記憶部２２ａは、アプリケーションプログラムとして、被管理端末２ｂの設定の指示及び設定結果の表示を行うアプリケーションプログラムや、メッセージの送信及び受信を行うアプリケーションプログラム、ウェブページの取得及び表示を行うアプリケーションプログラム、電話の発信、着信、及び通話を行うアプリケーションプログラム、電話帳の閲覧及び編集を行うアプリケーションプログラム等を記憶する。また、端末記憶部２２ａは、データとして、管理端末２ａの電話番号及びメールアドレスや、管理対象の被管理端末２ｂを管理する被管理端末管理テーブル（図２（ｂ））、被管理端末２ｂの設定指示を管理する設定指示管理テーブル（図２（ｃ））、設定指示に係るパラメータの入力フォームデータ、電話帳データ、文字入力用の辞書データ、映像データ、画像データ等を記憶する。さらに、端末記憶部２２ａは、所定の処理に係る一時的なデータを一時的に記憶してもよい。
【００３２】
図２（ｂ）は、被管理端末管理テーブルのデータ構造の一例を示す図である。被管理端末管理テーブルには、各被管理端末２ｂについて、当該被管理端末２ｂの識別番号（ＩＤ）や被管理者（例えば、父）の名前、電話番号、メールアドレス等が記憶される。
【００３３】
図２（ｃ）は、設定指示管理テーブルのデータ構造の一例を示す図である。設定指示管理テーブルには、各設定指示について、当該設定指示のＩＤや名称、説明文、パラメータの入力フォームのＩＤ等が記憶される。設定指示には、例えば、「電話帳の編集」や「使用者情報の編集」、「電話帳等の使用者編集可否の設定」、「Ｗｉ−Ｆｉ／ＧＰＳの設定」、「通知音／着信音の設定」、「緊急速報メール／災害用伝言板の設定」、「設定可能管理端末の変更」、「設定可能管理端末の追加」等が含まれる。
【００３４】
端末操作部２３は、携帯端末２の操作が可能であればどのようなデバイスでもよく、例えば、タッチパネルやキーボタン等である。ユーザは、このデバイスを用いて、文字や数字、記号等を入力することができる。端末操作部２３は、ユーザにより操作されると、その操作に対応する信号を発生する。そして、発生した信号は、ユーザの指示として、端末処理部２５に供給される。
【００３５】
端末表示部２４は、映像や画像等の表示が可能であればどのようなデバイスでもよく、例えば、液晶ディスプレイや有機ＥＬ（Electro−Luminescence）ディスプレイ等である。端末表示部２４は、端末処理部２５から供給された映像データに応じた映像や、画像データに応じた画像等を表示する。
【００３６】
端末処理部２５ａは、一又は複数個のプロセッサ及びその周辺回路を備える。端末処理部２５ａは、管理端末２ａの全体的な動作を統括的に制御するものであり、例えば、ＣＰＵ（Central Processing Unit）である。端末処理部２５ａは、管理端末２ａの各種処理が端末記憶部２２ａに記憶されているプログラムや端末操作部２３の操作等に応じて適切な手順で実行されるように、端末通信部２１や端末表示部２４等の動作を制御する。端末処理部２５ａは、端末記憶部２２ａに記憶されているプログラム（オペレーティングシステムプログラムやドライバプログラム、アプリケーションプログラム等）に基づいて処理を実行する。また、端末処理部２５ａは、複数のプログラム（アプリケーションプログラム等）を並列に実行することができる。
【００３７】
２．１．１．端末処理部２５ａの機能
図３及び図４は、管理端末２ａの表示画面の一例を示す図である。
【００３８】
図３（ａ）には、被管理端末２ｂの設定の指示を行うアプリケーションプログラムの実行を指示したときに表示される被管理端末選択画面３００が示されている。
被管理端末選択画面３００には、各被管理端末２ｂについて、当該被管理端末２ｂの属性情報（例えば、被管理者の名前や、被管理端末２ｂの電話番号、メールアドレス等）３０１が表示されている。属性情報３０１のタップにより、対応する被管理端末２ｂが選択される。
【００３９】
図３（ｂ）には、図３（ａ）に示される被管理端末選択画面３００で被管理端末２ｂを選択したときに表示される設定指示選択画面３１０が示されている。
設定指示選択画面３１０には、被管理端末２ｂの設定指示（例えば、「電話帳の編集」や「Ｗｉ−Ｆｉ／ＧＰＳの設定」、「使用者情報の編集」等）の識別情報３１１〜３１３が一覧表示されている。識別情報３１１〜３１３のタップにより、対応する設定指示が選択される。
【００４０】
図３（ｃ）には、図３（ｂ）に示される設定指示選択画面３１０で「電話帳の編集」を選択したときに表示されるパラメータ入力画面３２０が示されている。
パラメータ入力画面３２０には、電話帳の項目（例えば、名前やふりがな、電話番号、メールアドレス等）の識別情報３２１〜３２４が一覧表示されている。識別情報３２１〜３２４のタップにより、対応する項目を入力することができる。
また、パラメータ入力画面３２０下部には、ボタン３２５、３２６が表示されている。「設定する」ボタン３２５のタップにより被管理端末２ｂの設定が、「キャンセル」ボタン３２６のタップによりパラメータ入力の終了が、それぞれ要求される。
【００４１】
図４（ａ）には、図３（ｃ）に示されるパラメータ入力画面３２０でパラメータを入力し、被管理端末２ｂの設定を要求したときに作成されるメッセージ４００の内容が示されている。
メッセージ４００のＦｒｏｍ欄４０１には管理端末２ａのメールアドレスが、Ｔｏ欄４０２には被管理端末２ｂのメールアドレスが、本文欄４０３には被管理端末２ｂの設定指示及びパラメータが、それぞれ示されている。
なお、本実施形態では、設定指示等の形式として、キー・バリュー形式を想定するが、本発明はこれに限定されるものではない。設定指示等の形式は、本発明が適用可能であればよく、例えば、ＣＳＶ（Comma Separated Value）形式やＸＭＬ（Extensible Markup Language）形式等でもよい。
【００４２】
図４（ｂ）には、図４（ａ）に示されるメッセージ４００に基づいて被管理端末２ｂの設定が行われたときに作成されるメッセージ４１０の内容が示されている。
メッセージ４１０のＦｒｏｍ欄４１１には被管理端末２ｂのメールアドレスが、Ｔｏ欄４１２には管理端末２ａのメールアドレスが、本文欄４１３には被管理端末２ｂの設定結果等が、それぞれ示されている。
【００４３】
図４（ｃ）には、図４（ｂ）に示されるメッセージ４１０を受信したときに表示される設定結果表示画面４２０が示されている。
設定結果表示画面４２０には、被管理端末２ｂの設定結果等４２１が項目毎に表示されている。
【００４４】
２．１．２．端末処理部２５ａの構成
以上の機能を実現するために、端末処理部２５ａは、メッセージ送受信部２５１と、設定要求部２５２とを備える。これらの各部は、端末処理部２５ａが備えるプロセッサで実行されるプログラムにより実現される機能モジュールである。あるいは、これらの各部は、ファームウェアとして管理端末２ａに実装されてもよい。
【００４５】
以下、メッセージ送受信部２５１による処理について説明する。メッセージ送受信部２５１は、メッセージの送信及び受信を制御する。
【００４６】
具体的には、メッセージ、本携帯端末２のメールアドレス、及び他の携帯端末２のメールアドレスをパラメータとして、メッセージの、他の携帯端末２への送信が指示された場合に、メッセージ送受信部２５１は、本携帯端末２のメールアドレスを差出人とし、他の携帯端末２のメールアドレスを宛先として、メッセージを、端末通信部２１を介してＭＭＳサーバ５に送信する。メッセージは、ＭＭＳサーバ５により他の携帯端末２に送信されることになる。
【００４７】
一方、ＭＭＳサーバ５から端末通信部２１を介して、メッセージを受信した場合に、メッセージ送受信部２５１は、受信したメッセージを他のメッセージ処理部に供給する。
【００４８】
以下、設定要求部２５２による処理について説明する。設定要求部２５２は、被管理端末２ｂの設定の指示を受け付け、この設定指示を含むメッセージを作成し、作成したメッセージの、被管理端末２ｂへの送信をメッセージ送受信部２５１に指示する。また、メッセージ送受信部２５１から設定の完了又は未了を示すメッセージが供給された場合に、設定要求部２５２は、このメッセージの内容を表示する。
【００４９】
具体的には、管理者により端末操作部２３を介して、被管理端末２ｂの設定の指示を行うアプリケーションプログラムの実行が指示された場合に、このプログラムにより実現される設定要求部２５２は、被管理端末選択画面３００を表示する。
即ち、設定要求部２５２は、端末記憶部２２ａに記憶されている被管理端末管理テーブルを参照し、各被管理端末２ｂについて、当該被管理端末２ｂの電話番号やメールアドレス、当該被管理端末２ｂに係る被管理者の名前等を抽出する。そして、設定要求部２５２は、抽出した電話番号等を所定のレイアウトで表示する被管理端末選択画面３００を構成し、端末表示部２４に出力する。
【００５０】
管理者により端末操作部２３を介して、被管理端末２ｂが選択された場合に、設定要求部２５２は、設定指示選択画面３１０を表示する。
即ち、設定要求部２５２は、端末記憶部２２ａに記憶されている設定指示管理テーブルを参照し、各設定指示の名称や説明文等を抽出する。そして、設定要求部２５２は、抽出した名称等を所定のレイアウトで表示する設定指示選択画面３１０を構成し、端末表示部２４に出力する。
【００５１】
管理者により端末操作部２３を介して、設定指示が選択された場合に、設定要求部２５２は、選択された設定指示に係るパラメータ入力画面３２０を表示する。
即ち、設定要求部２５２は、端末記憶部２２ａに記憶されている設定指示管理テーブルを参照し、選択された設定指示に係るパラメータの入力フォームのＩＤを抽出する。また、設定要求部２５２は、抽出したＩＤに対応する入力フォームデータを端末記憶部２２ａから取得する。そして、設定要求部２５２は、取得した入力フォームデータを用いて入力欄等を所定のレイアウトで表示するパラメータ入力画面３２０を構成し、端末表示部２４に出力する。
【００５２】
管理者により端末操作部２３を介して、パラメータが入力され、被管理端末２ｂの設定が要求された場合に、設定要求部２５２は、選択された設定指示等を含むメッセージを作成する。
即ち、設定要求部２５２は、選択された設定指示及び入力されたパラメータをキー・バリュー形式でエンコードし、エンコードした設定指示等を含むメッセージを作成する。
【００５３】
そして、設定要求部２５２は、作成したメッセージの、選択された被管理端末２ｂへの送信をメッセージ送受信部２５１に指示する。
即ち、設定要求部２５２は、管理端末２ａのメールアドレスを端末記憶部２２ａから取得する。また、設定要求部２５２は、端末記憶部２２ａに記憶されている被管理端末管理テーブルを参照し、選択された被管理端末２ｂのメールアドレスを抽出する。そして、設定要求部２５２は、作成したメッセージ、取得した管理端末２ａのメールアドレス、及び抽出した被管理端末２ｂのメールアドレスをパラメータとして、メッセージの、被管理端末２ｂへの送信をメッセージ送受信部２５１に指示する。
【００５４】
一方、メッセージ送受信部２５１から設定の完了又は未了を示すメッセージが供給された場合に、設定要求部２５２は、設定結果表示画面４２０を表示する。
即ち、設定要求部２５２は、このメッセージに含まれる設定結果等をデコードし、デコードした設定結果等を所定のレイアウトで表示する設定結果表示画面４２０を構成し、端末表示部２４に出力する。
【００５５】
２．２．被管理端末２ｂの構成
図５（ａ）は、被管理端末２ｂの概略構成の一例を示す図である。
【００５６】
被管理端末２ｂは、メッセージを受信した場合に、受信したメッセージが被管理端末２ｂの設定を行うことが許可されている管理端末２ａから送信されたものであれば、受信したメッセージに含まれる設定指示に基づいて被管理端末２ｂの設定を行う。また、設定が完了した場合に、被管理端末２ｂは、設定の完了を示すメッセージを作成し、作成したメッセージを設定の完了を通知する管理端末２ａに送信する。そのために、被管理端末２ｂは、端末通信部２１と、端末記憶部２２ｂと、端末操作部２３と、端末表示部２４と、端末処理部２５ｂとを備える。
なお、これらの構成のうち、端末通信部２１と、端末操作部２３と、端末表示部２４とについては、図２（ａ）に示されるものと同一であるので、以下では説明を省略する。
【００５７】
端末記憶部２２ｂは、例えば、半導体メモリ装置を備える。端末記憶部２２ｂは、端末処理部２５ｂでの処理に用いられるオペレーティングシステムプログラムやドライバプログラム、アプリケーションプログラム、データ等を記憶する。例えば、端末記憶部２２ｂは、ドライバプログラムとして、端末操作部２３を制御する入力デバイスドライバプログラムや、端末表示部２４を制御する出力デバイスドライバプログラム等を記憶する。また、端末記憶部２２ｂは、アプリケーションプログラムとして、被管理端末２ｂの設定を行うアプリケーションプログラムや、メッセージの送信及び受信を行うアプリケーションプログラム、ウェブページの取得及び表示を行うアプリケーションプログラム、電話の発信、着信、及び通話を行うアプリケーションプログラム、電話帳の閲覧及び編集を行うアプリケーションプログラム等を記憶する。また、端末記憶部２２ｂは、データとして、被管理端末２ｂの電話番号及びメールアドレスや、被管理端末２ｂの設定を行うことが許可されている管理端末２ａを管理する設定可能管理端末管理テーブル（図５（ｂ））、設定の完了を通知する管理端末２ａを管理する設定完了通知管理端末管理テーブル（図５（ｃ））、電話帳データ、文字入力用の辞書データ、映像データ、画像データ等を記憶する。さらに、端末記憶部２２ｂは、所定の処理に係る一時的なデータを一時的に記憶してもよい。
【００５８】
図５（ｂ）は、設定可能管理端末管理テーブルのデータ構造の一例を示す図である。設定可能管理端末管理テーブルには、各管理端末２ａについて、当該管理端末２ａのＩＤや管理者（例えば、長男及び次男）の名前、電話番号、メールアドレス等が記憶される。
【００５９】
図５（ｃ）は、設定完了通知管理端末管理テーブルのデータ構造の一例を示す図である。設定完了通知管理端末管理テーブルには、各管理端末２ａについて、当該管理端末２ａのＩＤや管理者（例えば、長男、次男、及び長女）の名前、電話番号、メールアドレス等が記憶される。
【００６０】
端末処理部２５ｂは、一又は複数個のプロセッサ及びその周辺回路を備える。端末処理部２５ｂは、被管理端末２ｂの全体的な動作を統括的に制御するものであり、例えば、ＣＰＵである。端末処理部２５ｂは、被管理端末２ｂの各種処理が端末記憶部２２ｂに記憶されているプログラムや端末操作部２３の操作等に応じて適切な手順で実行されるように、端末通信部２１や端末表示部２４等の動作を制御する。端末処理部２５ｂは、端末記憶部２２ｂに記憶されているプログラム（オペレーティングシステムプログラムやドライバプログラム、アプリケーションプログラム等）に基づいて処理を実行する。また、端末処理部２５ｂは、複数のプログラム（アプリケーションプログラム等）を並列に実行することができる。
【００６１】
２．２．１．端末処理部２５ｂの構成
端末処理部２５ｂは、メッセージ送受信部２５１と、設定部２５３とを備える。これらの各部は、端末処理部２５ｂが備えるプロセッサで実行されるプログラムにより実現される機能モジュールである。あるいは、これらの各部は、ファームウェアとして被管理端末２ｂに実装されてもよい。
なお、これらの構成のうち、メッセージ送受信部２５１については、図２（ａ）に示されるものと同一であるので、以下では説明を省略する。
【００６２】
以下、設定部２５３による処理について説明する。メッセージ送受信部２５１からメッセージが供給された場合に、設定部２５３は、このメッセージが被管理端末２ｂの設定を行うことが許可されている管理端末２ａからのものであれば、このメッセージに含まれる設定指示に基づいて被管理端末２ｂの設定を行う。また、設定が完了した場合に、設定部２５３は、設定の完了を示すメッセージを作成し、作成したメッセージの、設定の完了を通知する管理端末２ａへの送信をメッセージ送受信部２５１に指示する。
【００６３】
具体的には、メッセージ送受信部２５１からメッセージが供給された場合に、設定部２５３は、このメッセージから設定指示等を抽出してデコードする。
【００６４】
設定部２５３は、このメッセージを送信した管理端末（以下「送信管理端末」と称する）２ａが、被管理端末２ｂの設定を行うことが許可されている管理端末（以下「設定可能管理端末」と称する）２ａであるか否かを判定する。
即ち、設定部２５３は、端末記憶部２２ｂに記憶されている設定可能管理端末管理テーブルを参照し、送信管理端末２ａの電話番号及び／又はメールアドレスが登録されているか否かを判定する。
【００６５】
設定可能管理端末２ａではない場合に、設定部２５３は、設定の未了を示すメッセージを作成する。
即ち、設定部２５３は、設定結果（「未了」）、設定指示、及びパラメータをキー・バリュー形式でエンコードし、エンコードした設定結果等を含むメッセージを作成する。
【００６６】
そして、設定部２５３は、作成したメッセージの、送信管理端末２ａへの返信をメッセージ送受信部２５１に指示する。
【００６７】
一方、設定可能管理端末２ａである場合に、設定部２５３は、抽出した設定指示が設定可能管理端末２ａの変更を行うための設定指示（以下「設定可能管理端末の変更」と称する）であるか否かを判定する。
【００６８】
「設定可能管理端末の変更」ではない場合に、設定部２５３は、被管理端末２ｂの設定を行うことを許可するか否かを被管理者に問い合わせるための、不図示の設定許可確認画面を表示する。
【００６９】
被管理者により端末操作部２３を介して、設定が許可されなかった場合に、設定部２５３は、設定の未了を示すメッセージを作成する。そして、設定部２５３は、作成したメッセージの、送信管理端末２ａへの返信をメッセージ送受信部２５１に指示する。
【００７０】
一方、設定が許可された場合に、設定部２５３は、抽出した設定指示等に基づいて被管理端末２ｂの設定を行う。
【００７１】
設定部２５３は、設定の完了を示すメッセージを作成する。
即ち、設定部２５３は、設定結果（「完了」）、設定指示、及びパラメータをキー・バリュー形式でエンコードし、エンコードした設定結果等を含むメッセージを作成する。
【００７２】
そして、設定部２５３は、作成したメッセージの、設定の完了を通知する管理端末２ａへの送信をメッセージ送受信部２５１に指示する。
即ち、設定部２５３は、被管理端末２ｂのメールアドレスを端末記憶部２２ｂから取得する。また、設定部２５３は、端末記憶部２２ｂに記憶されている設定完了通知管理端末管理テーブルを参照し、各管理端末２ａのメールアドレスを抽出する。そして、設定部２５３は、作成したメッセージ、取得した被管理端末２ｂのメールアドレス、及び抽出した管理端末２ａのメールアドレスをパラメータとして、メッセージの、管理端末２ａへの送信をメッセージ送受信部２５１に指示する。
【００７３】
一方、抽出した設定指示が「設定可能管理端末の変更」である場合に、設定部２５３は、送信管理端末２ａの電話番号及び／又はメールアドレスをパラメータとして、当該管理端末２ａが設定可能管理端末２ａを変更することが許可されている管理端末（以下「変更可能管理端末」と称する）２ａであるか否かの判定要求を、端末通信部２１を介して被管理端末情報管理サーバ６に送信する。
【００７４】
被管理端末情報管理サーバ６から端末通信部２１を介して、変更可能管理端末２ａではないことを示す判定結果を受信した場合に、設定部２５３は、設定の未了を示すメッセージを作成する。そして、設定部２５３は、作成したメッセージの、送信管理端末２ａへの返信をメッセージ送受信部２５１に指示する。
【００７５】
一方、変更可能管理端末２ａであることを示す判定結果を受信した場合に、設定部２５３は、抽出した設定指示が設定可能管理端末２ａの追加（変更の一態様）を行うための設定指示（以下「設定可能管理端末の追加」と称する）であるか否かを判定する。
【００７６】
「設定可能管理端末の追加」ではない場合に、設定部２５３は、上記と同様の手順により、被管理者による確認、被管理端末２ｂの設定、及び管理端末２ａへの完了の通知を行う。
【００７７】
一方、抽出した設定指示が「設定可能管理端末の追加」である場合に、設定部２５３は、抽出した設定指示等に含まれる、設定可能管理端末２ａに追加する管理端末２ａの電話番号及び／又はメールアドレスをパラメータとして、当該管理端末２ａが設定可能管理端末２ａとなることが許可されている管理端末（以下「設定可能管理端末候補」と称する）２ａであるか否かの判定要求を、端末通信部２１を介して被管理端末情報管理サーバ６に送信する。
【００７８】
被管理端末情報管理サーバ６から端末通信部２１を介して、設定可能管理端末候補２ａではないことを示す判定結果を受信した場合に、設定部２５３は、設定の未了を示すメッセージを作成する。そして、設定部２５３は、作成したメッセージの、送信管理端末２ａへの返信をメッセージ送受信部２５１に指示する。
【００７９】
一方、設定可能管理端末候補２ａであることを示す判定結果を受信した場合に、設定部２５３は、上記と同様の手順により、被管理者による確認、被管理端末２ｂの設定、及び管理端末２ａへの完了の通知を行う。
【００８０】
２．３．被管理端末情報管理サーバ６の構成
図６（ａ）は、被管理端末情報管理サーバ６の概略構成の一例を示す図である。
【００８１】
被管理端末情報管理サーバ６は、管理端末２ａが変更可能管理端末２ａであるか否かの判定要求や、管理端末２ａが設定可能管理端末候補２ａであるか否かの判定要求を受信した場合に、これらの判定を行う。そのために、被管理端末情報管理サーバ６は、サーバ通信部６１と、サーバ記憶部６２と、サーバ処理部６３とを備える。
【００８２】
サーバ通信部６１は、被管理端末情報管理サーバ６を通信ネットワーク４に接続するための通信インターフェース回路を備え、通信ネットワーク４との間で通信を行う。そして、サーバ通信部６１は、携帯端末２等から受信したデータを、サーバ処理部６３に供給する。また、サーバ通信部６１は、サーバ処理部６３から供給されたデータを、携帯端末２等に送信する。
【００８３】
サーバ記憶部６２は、例えば、磁気テープ装置、磁気ディスク装置、及び光ディスク装置のうちの少なくともいずれか一つを備える。サーバ記憶部６２は、サーバ処理部６３での処理に用いられるオペレーティングシステムプログラムやドライバプログラム、アプリケーションプログラム、データ等を記憶する。例えば、サーバ記憶部６２は、アプリケーションプログラムとして、管理端末２ａの適格性の判定を行うアプリケーションプログラム等を記憶する。また、サーバ記憶部６２は、データとして、被管理端末２ｂに係る設定可能管理端末２ａを変更することが許可されている管理端末２ａを管理する変更可能管理端末管理テーブル（図６（ｂ））や、被管理端末２ｂに係る設定可能管理端末２ａとなることが許可されている管理端末２ａを管理する設定可能管理端末候補管理テーブル（図６（ｃ））等を記憶する。さらに、サーバ記憶部６２は、所定の処理に係る一時的なデータを一時的に記憶してもよい。
【００８４】
図６（ｂ）は、変更可能管理端末管理テーブルのデータ構造の一例を示す図である。変更可能管理端末管理テーブルには、各被管理端末２ｂについて、当該被管理端末２ｂに係る管理端末２ａのＩＤや管理者（例えば、長男）の名前、電話番号、メールアドレス等が記憶される。
【００８５】
図６（ｃ）は、設定可能管理端末候補管理テーブルのデータ構造の一例を示す図である。設定可能管理端末候補管理テーブルには、各被管理端末２ｂについて、当該被管理端末２ｂに係る管理端末２ａのＩＤや管理者（例えば、長男、次男、及び長女）の名前、電話番号、メールアドレス等が記憶される。
【００８６】
サーバ処理部６３は、一又は複数個のプロセッサ及びその周辺回路を備える。サーバ処理部６３は、被管理端末情報管理サーバ６の全体的な動作を統括的に制御するものであり、例えば、ＣＰＵである。サーバ処理部６３は、被管理端末情報管理サーバ６の各種処理がサーバ記憶部６２に記憶されているプログラム等に応じて適切な手順で実行されるように、サーバ通信部６１等の動作を制御する。サーバ処理部６３は、サーバ記憶部６２に記憶されているプログラム（オペレーティングシステムプログラムやドライバプログラム、アプリケーションプログラム等）に基づいて処理を実行する。また、サーバ処理部６３は、複数のプログラム（アプリケーションプログラム等）を並列に実行することができる。
【００８７】
２．３．１．サーバ処理部６３の構成
サーバ処理部６３は、変更可能判定部６３１と、設定可能候補判定部６３２とを備える。これらの各部は、サーバ処理部６３が備えるプロセッサ上で実行されるプログラムによって実装される機能モジュールである。あるいは、これらの各部は、ファームウェアとして、被管理端末情報管理サーバ６に実装されてもよい。
【００８８】
以下、変更可能判定部６３１による処理について説明する。変更可能判定部６３１は、所定の管理端末２ａが変更可能管理端末２ａであるか否かの判定を行う。
【００８９】
具体的には、被管理端末２ｂからサーバ通信部６１を介して、所定の管理端末２ａが変更可能管理端末２ａであるか否かの判定要求を受信した場合に、変更可能判定部６３１は、この判定を行う。
即ち、変更可能判定部６３１は、サーバ記憶部６２に記憶されている変更可能管理端末管理テーブルを参照し、所定の管理端末２ａの電話番号及び／又はメールアドレスが登録されているか否かを判定する。
【００９０】
変更可能判定部６３１は、その結果を、サーバ通信部６１を介して被管理端末２ｂに返信する。
即ち、変更可能管理端末２ａである場合に、変更可能判定部６３１は、変更可能管理端末２ａであることを示す判定結果を、サーバ通信部６１を介して被管理端末２ｂに返信する。一方、変更可能管理端末２ａではない場合に、変更可能判定部６３１は、変更可能管理端末２ａではないことを示す判定結果を、サーバ通信部６１を介して被管理端末２ｂに返信する。
【００９１】
以下、設定可能候補判定部６３２による処理について説明する。設定可能候補判定部６３２は、所定の管理端末２ａが設定可能管理端末候補２ａであるか否かの判定を行う。
【００９２】
具体的には、被管理端末２ｂからサーバ通信部６１を介して、所定の管理端末２ａが設定可能管理端末候補２ａであるか否かの判定要求を受信した場合に、設定可能候補判定部６３２は、この判定を行う。
即ち、設定可能候補判定部６３２は、サーバ記憶部６２に記憶されている設定可能管理端末候補管理テーブルを参照し、所定の管理端末２ａの電話番号及び／又はメールアドレスが登録されているか否かを判定する。
【００９３】
設定可能候補判定部６３２は、その結果を、サーバ通信部６１を介して被管理端末２ｂに返信する。
即ち、設定可能管理端末候補２ａである場合に、設定可能候補判定部６３２は、設定可能管理端末候補２ａであることを示す判定結果を、サーバ通信部６１を介して被管理端末２ｂに返信する。一方、設定可能管理端末候補２ａではない場合に、設定可能候補判定部６３２は、設定可能管理端末候補２ａではないことを示す判定結果を、サーバ通信部６１を介して被管理端末２ｂに返信する。
【００９４】
３．端末管理システム１の動作
図７及び図８は、端末管理システム１の動作シーケンスの一例を示す図である。なお、以下に説明する動作シーケンスは、予め端末記憶部２２ａ、２２ｂ、及びサーバ記憶部６２に記憶されているプログラムに基づいて、主に端末処理部２５ａ、２５ｂ、及びサーバ処理部６３により、管理端末２ａ、被管理端末２ｂ、及び被管理端末情報管理サーバ６の各要素と協働して実行される。
【００９５】
図７は、設定指示が「設定可能管理端末の変更」ではない場合の、端末管理システム１の動作シーケンスの一例を示す図である。
【００９６】
管理者は、端末操作部２３を介して管理端末２ａに、被管理端末２ｂの設定の指示を行うアプリケーションプログラムの実行を指示する。端末処理部２５ａは、このプログラムに基づいて処理を開始する。即ち、このプログラムにより実現される設定要求部２５２は、被管理端末選択画面３００を表示する。
【００９７】
管理者により端末操作部２３を介して、被管理端末２ｂが選択された場合に（ステップＳ１００）、設定要求部２５２は、設定指示選択画面３１０を表示する。
【００９８】
管理者により端末操作部２３を介して、設定指示が選択された場合に（ステップＳ１０２）、設定要求部２５２は、選択された設定指示に係るパラメータ入力画面３２０を表示する。
【００９９】
管理者により端末操作部２３を介して、パラメータが入力され（ステップＳ１０４）、被管理端末２ｂの設定が要求された場合に、設定要求部２５２は、選択された設定指示等を含むメッセージを作成する（ステップＳ１０６）。
【０１００】
そして、設定要求部２５２は、作成したメッセージを、選択された被管理端末２ｂに送信する（ステップＳ１０８）。
【０１０１】
管理端末２ａからメッセージを受信した場合に、設定部２５３は、受信したメッセージから設定指示等を抽出する（ステップＳ１１０）。
【０１０２】
設定部２５３は、受信したメッセージの送信管理端末２ａが設定可能管理端末２ａであるか否かを判定する（ステップＳ１１２）。
【０１０３】
設定可能管理端末２ａではない場合に（ステップＳ１１２−Ｎｏ）、設定部２５３は、設定の未了を示すメッセージを作成して送信管理端末２ａに返信する（ステップＳ１１４）。
【０１０４】
一方、設定可能管理端末２ａである場合に（ステップＳ１１２−Ｙｅｓ）、設定部２５３は、抽出した設定指示が「設定可能管理端末の変更」であるか否かを判定する（ステップＳ１１６）。
【０１０５】
「設定可能管理端末の変更」ではない場合に（ステップＳ１１６−Ｎｏ）、設定部２５３は、設定許可確認画面を表示する。
【０１０６】
被管理者により端末操作部２３を介して、設定が許可されなかった場合に（ステップＳ１１８−Ｎｏ）、設定部２５３は、設定の未了を示すメッセージを作成して送信管理端末２ａに送信する（ステップＳ１２０）。
【０１０７】
一方、設定が許可された場合に（ステップＳ１１８−Ｙｅｓ）、設定部２５３は、抽出した設定指示等に基づいて被管理端末２ｂの設定を行う（ステップＳ１２２）。
【０１０８】
設定部２５３は、設定の完了を示すメッセージを作成する（ステップＳ１２４）。
【０１０９】
そして、設定部２５３は、作成したメッセージを、設定の完了を通知する管理端末２ａに送信する（ステップＳ１２６）。
【０１１０】
被管理端末２ｂから設定の完了又は未了を示すメッセージを受信した場合に、設定要求部２５２は、設定結果表示画面４２０を表示する（ステップＳ１２８）。
【０１１１】
図８は、設定指示が「設定可能管理端末の追加」である場合の、端末管理システム１の動作シーケンスの一例を示す図である。
なお、これらのステップのうち、ステップＳ１００〜Ｓ１１４及びＳ１２０〜Ｓ１２８については、図７に示されるものと同一であるので、以下では説明を省略する。
【０１１２】
設定部２５３は、抽出した設定指示が「設定可能管理端末の変更」であるか否かを判定する（ステップＳ１１６）。
【０１１３】
抽出した設定指示が「設定可能管理端末の変更」である場合に（ステップＳ１１６−Ｙｅｓ）、設定部２５３は、送信管理端末２ａが変更可能管理端末２ａであるか否かの判定要求を被管理端末情報管理サーバ６に送信する（ステップＳ２００）。
【０１１４】
被管理端末２ｂから所定の管理端末２ａが変更可能管理端末２ａであるか否かの判定要求を受信した場合に、変更可能判定部６３１は、この判定を行う（ステップＳ２０２）。
【０１１５】
変更可能判定部６３１は、その結果を被管理端末２ｂに返信する（ステップＳ２０４）。
【０１１６】
被管理端末情報管理サーバ６から変更可能管理端末２ａではないことを示す判定結果を受信した場合に（ステップＳ２０６−Ｎｏ）、設定部２５３は、設定の未了を示すメッセージを作成して送信管理端末２ａに返信する（ステップＳ２０８）。
【０１１７】
一方、変更可能管理端末２ａであることを示す判定結果を受信した場合に（ステップＳ２０６−Ｙｅｓ）、設定部２５３は、抽出した設定指示が「設定可能管理端末の追加」であるか否かを判定する（ステップＳ２１０）。
【０１１８】
抽出した設定指示が「設定可能管理端末の追加」である場合に（ステップＳ２１０−Ｙｅｓ）、設定部２５３は、設定可能管理端末２ａに追加する管理端末２ａが設定可能管理端末候補２ａであるか否かの判定要求を被管理端末情報管理サーバ６に送信する（ステップＳ２１２）。
【０１１９】
被管理端末２ｂから所定の管理端末２ａが設定可能管理端末候補２ａであるか否かの判定要求を受信した場合に、設定可能候補判定部６３２は、この判定を行う（ステップＳ２１４）。
【０１２０】
設定可能候補判定部６３２は、その結果を被管理端末２ｂに返信する（ステップＳ２１６）。
【０１２１】
被管理端末情報管理サーバ６から設定可能管理端末候補２ａではないことを示す判定結果を受信した場合に（ステップＳ２１８−Ｎｏ）、設定部２５３は、設定の未了を示すメッセージを作成して送信管理端末２ａに返信する（ステップＳ２２０）。
【０１２２】
一方、設定可能管理端末候補２ａであることを示す判定結果を受信した場合に（ステップＳ２１８−Ｙｅｓ）、設定部２５３は、設定許可確認画面を表示する（ステップＳ１１８）。
【０１２３】
以上説明してきたように、管理端末２ａからメッセージを介して被管理端末２ｂの設定を行えるようにすることにより、被管理端末２ｂの設定を簡便に行うことが可能となる。
【０１２４】
なお、本発明は、本実施形態に限定されるものではない。例えば、本実施形態では、設定可能管理端末管理テーブルや設定完了通知管理端末管理テーブルを電話帳と別々に管理するものとしたが、電話帳と一緒に管理してもよい。また、その場合に、例えば、電話帳の一番目に登録されているものを管理者としてもよい。
【０１２５】
また、本実施形態では、設定可能管理端末管理テーブルや設定完了通知管理端末管理テーブルを被管理端末２ｂで管理するものとしたが、被管理端末情報管理サーバ６で管理し、その都度問い合わせてもよい。また、その場合に、例えば、被管理端末２ｂの契約情報と一緒に管理するものとし、被管理端末２ｂと所定の契約（例えば、家族割引契約）が結ばれている管理端末２ａを設定可能管理端末２ａ等としてもよい。
【０１２６】
また、本実施形態では、変更可能管理端末管理テーブルや設定可能管理端末候補管理テーブルを別々に管理するものとしたが、一緒に管理してもよい。また、その場合に、例えば、被管理端末２ｂの契約情報と一緒に管理するものとし、被管理端末２ｂと所定の契約（例えば、家族割引契約）が結ばれている管理端末２ａを変更可能管理端末２ａ等としてもよい。
【０１２７】
また、本実施形態では、設定許可確認画面を表示し、被管理端末２ｂの設定を行うことを許可するか否かを被管理者に問い合わせるものとしたが、被管理者に問い合わせることなく、被管理端末２ｂの設定を行ってもよい。
【０１２８】
また、本実施形態では、管理端末２ａを用いて被管理端末２ｂの設定を行うものとしたが、被管理端末２ｂに記憶されている各種情報を照会してもよい。
【０１２９】
（第２実施形態）
１．本実施形態の概略
第１実施形態では、管理端末２ａを用いて操作が極めて簡易化された被管理端末２ｂの設定を行うものとした。本実施形態では、端末操作部２３をさらに簡素化し（例えば、キーボタンが一つ）、端末表示部２４を配設しないことによりさらに小型化され、主にＧＰＳ（Global Positioning System）測位機能のみを備える被管理端末２ｂ’の設定（主に測位）を行うものとする。
【０１３０】
２．端末管理システム１の構成
端末管理システム１の概略構成は、図１に示されるものと同一であるので、以下では説明を省略する。
【０１３１】
２．１．管理端末２ａの構成
管理端末２ａの概略構成は、図２（ａ）に示されるものと同様であるので、以下では設定指示管理テーブルについてのみ説明する。
【０１３２】
図９は、設定指示管理テーブルのデータ構造の一例を示す図である。設定指示管理テーブルには、各設定指示について、当該設定指示のＩＤや名称、説明文、パラメータの入力フォームのＩＤ等が記憶される。設定指示には、例えば、現在時刻に測位を行う「測位」や、現在時刻から定期的に測位を行う「連続測位」、所定時刻に測位を行う「定刻測位」等が含まれる。
【０１３３】
２．２．被管理端末２ｂ’の構成
図１０は、被管理端末２ｂ’の概略構成の一例を示す図である。
【０１３４】
被管理端末２ｂ’は、メッセージを受信した場合に、受信したメッセージが被管理端末２ｂ’の設定を行うことが許可されている管理端末２ａから送信されたものであれば、受信したメッセージに含まれる設定指示に基づいて被管理端末２ｂ’の設定（主に測位）を行う。また、設定が完了した場合に、被管理端末２ｂ’は、設定の完了を示すメッセージを作成し、作成したメッセージを設定の完了を通知する管理端末２ａに送信する。そのために、被管理端末２ｂ’は、端末通信部２１と、端末記憶部２２ｂ’と、端末操作部２３’と、端末処理部２５ｂ’と、ＧＰＳ部２６とを備える。
なお、これらの構成のうち、端末通信部２１については、図２（ａ）に示されるものと同一であるので、以下では説明を省略する。
【０１３５】
端末記憶部２２ｂ’は、例えば、半導体メモリ装置を備える。端末記憶部２２ｂ’は、端末処理部２５ｂ’での処理に用いられるオペレーティングシステムプログラムやドライバプログラム、アプリケーションプログラム、データ等を記憶する。例えば、端末記憶部２２ｂ’は、ドライバプログラムとして、端末操作部２３’を制御する入力デバイスドライバプログラム等を記憶する。また、端末記憶部２２ｂ’は、アプリケーションプログラムとして、被管理端末２ｂ’の設定を行うアプリケーションプログラムや、メッセージの送信及び受信を行うアプリケーションプログラム等を記憶する。また、端末記憶部２２ｂ’は、データとして、被管理端末２ｂ’の電話番号及びメールアドレスや、被管理端末２ｂ’の設定を行うことが許可されている管理端末２ａを管理する設定可能管理端末管理テーブル、設定の完了を通知する管理端末２ａを管理する設定完了通知管理端末管理テーブル、アシストデータ（不図示のＧＰＳ衛星の軌道情報、時刻補正パラメータ等）、測位データ（位置（緯度、経度、及び高度）及び誤差）等を記憶する。さらに、端末記憶部２２ｂ’は、所定の処理に係る一時的なデータを一時的に記憶してもよい。
【０１３６】
端末操作部２３’は、被管理端末２ｂ’の操作が可能であればどのようなデバイスでもよく、例えば、キーボタン等である。端末操作部２３’は、ユーザにより操作されると、その操作に対応する信号を発生する。そして、発生した信号は、ユーザの指示として、端末処理部２５ｂ’に供給される。
【０１３７】
端末処理部２５ｂ’は、一又は複数個のプロセッサ及びその周辺回路を備える。端末処理部２５ｂ’は、被管理端末２ｂ’の全体的な動作を統括的に制御するものであり、例えば、ＣＰＵである。端末処理部２５ｂ’は、被管理端末２ｂ’の各種処理が端末記憶部２２ｂ’に記憶されているプログラムや端末操作部２３’の操作等に応じて適切な手順で実行されるように、端末通信部２１等の動作を制御する。端末処理部２５ｂ’は、端末記憶部２２ｂ’に記憶されているプログラム（オペレーティングシステムプログラムやドライバプログラム、アプリケーションプログラム等）に基づいて処理を実行する。また、端末処理部２５ｂ’は、複数のプログラム（アプリケーションプログラム等）を並列に実行することができる。
【０１３８】
ＧＰＳ部２６は、ＧＰＳ測位方式で用いられる１．５ＧＨｚ帯を感受帯域とするアンテナを含む、ＧＰＳ回路を備え、不図示のＧＰＳ衛星からＧＰＳ信号を受信する。ＧＰＳ部２６は、端末記憶部２２ｂ’からアシストデータを取得し、取得したアシストデータに基づいてＧＰＳ衛星を捕捉する。また、ＧＰＳ部２６は、捕捉したＧＰＳ衛星からＧＰＳ信号を受信してデコードし、時刻情報等を取得する。そして、ＧＰＳ部２６は、取得した時刻情報等に基づいてＧＰＳ衛星から被管理端末２ｂ’までの擬似距離を算出し、算出した擬似距離を代入して得られる連立方程式を解くことにより、被管理端末２ｂ’の位置及び誤差を算出する。ＧＰＳ部２６は、算出した位置及び誤差を測位データとして設定部２５３’に供給する。
【０１３９】
２．２．１．端末処理部２５ｂ’の構成
端末処理部２５ｂ’は、メッセージ送受信部２５１と、設定部２５３’と、計時部２５４とを備える。これらの各部は、端末処理部２５ｂ’が備えるプロセッサで実行されるプログラムにより実現される機能モジュールである。あるいは、これらの各部は、ファームウェアとして被管理端末２ｂ’に実装されてもよい。
なお、これらの構成のうち、メッセージ送受信部２５１については、図２（ａ）に示されるものと同一であるので、以下では説明を省略する。
【０１４０】
以下、計時部２５４による処理について説明する。計時部２５４は、時間を計時する。
【０１４１】
具体的には、所定時刻をパラメータとして、計時の開始が指示された場合に、計時部２５４は、不図示の時計からの、現在時刻の定期的な取得を開始する。
【０１４２】
取得した現在時刻がパラメータとして与えられた所定時刻を経過した場合に、計時部２５４は、現在時刻の定期的な取得を終了すると共に、所定時刻を経過したことを設定部２５３’に通知する。
【０１４３】
以下、設定部２５３’による処理について説明する。メッセージ送受信部２５１からメッセージが供給された場合に、設定部２５３’は、このメッセージが被管理端末２ｂ’の設定を行うことが許可されている管理端末２ａからのものであれば、このメッセージに含まれる設定指示に基づいて被管理端末２ｂ’の設定（主に測位）を行う。また、設定が完了した場合に、設定部２５３’は、設定の完了を示すメッセージを作成し、作成したメッセージの、設定の完了を通知する管理端末２ａへの送信をメッセージ送受信部２５１に指示する。
【０１４４】
具体的には、メッセージ送受信部２５１からメッセージが供給された場合に、設定部２５３’は、このメッセージから設定指示等を抽出してデコードする。
【０１４５】
設定部２５３’は、このメッセージの送信管理端末２ａが設定可能管理端末２ａであるか否かを判定する。
【０１４６】
設定可能管理端末２ａではない場合に、設定部２５３’は、設定の未了を示すメッセージを作成する。そして、設定部２５３’は、作成したメッセージの、送信管理端末２ａへの返信をメッセージ送受信部２５１に指示する。
【０１４７】
一方、設定可能管理端末２ａである場合に、設定部２５３’は、抽出した設定指示の種別を判定する。
【０１４８】
抽出した設定指示が「測位」である場合に、設定部２５３’は、被管理端末２ｂ’の測位をＧＰＳ部２６に指示する。
【０１４９】
ＧＰＳ部２６から測位データが供給された場合に、設定部２５３’は、設定の完了を示すメッセージを作成する。
即ち、設定部２５３’は、設定結果（「完了」）及び測位データをキー・バリュー形式でエンコードし、エンコードした設定結果等を含むメッセージを作成する。
【０１５０】
一方、抽出した設定指示が「連続測位」である場合に、設定部２５３’は、抽出した設定指示等に含まれる測位間隔で定期的に、被管理端末２ｂ’の測位をＧＰＳ部２６に指示する。
【０１５１】
ＧＰＳ部２６から測位データが供給された場合に、設定部２５３’は、測位データを端末記憶部２２ｂ’に格納する。
【０１５２】
抽出した設定指示等に含まれる測位期間を経過した場合に、設定部２５３’は、設定の完了を示すメッセージを作成する。
即ち、設定部２５３’は、端末記憶部２２ｂ’から一連の測位データを取得し、設定結果（「完了」）及び一連の測位データをキー・バリュー形式でエンコードし、エンコードした設定結果等を含むメッセージを作成する。
【０１５３】
一方、抽出した設定指示が「定刻測位」である場合に、設定部２５３’は、抽出した設定指示等に含まれる開始日時をパラメータとして、計時の開始を計時部２５４に指示する。また、設定部２５３’は、抽出した設定指示等に含まれる測位間隔及び終了日時を端末記憶部２２ｂ’に格納する。
【０１５４】
設定部２５３’は、設定の完了を示すメッセージを作成する。
即ち、設定部２５３’は、設定結果（「完了」）、設定指示、及びパラメータをキー・バリュー形式でエンコードし、エンコードした設定結果等を含むメッセージを作成する。
【０１５５】
一方、抽出した設定指示がそれ以外である場合に、設定部２５３’は、対応する内容で被管理端末２ｂ’の設定を行う。そして、設定部２５３’は、設定の完了を示すメッセージを作成する。
【０１５６】
そして、設定部２５３’は、作成したメッセージの、設定の完了を通知する管理端末２ａへの送信をメッセージ送受信部２５１に指示する。
【０１５７】
一方、計時部２５４から定刻測位の開始時刻を経過したことが通知された場合に、設定部２５３’は、端末記憶部２２ｂ’から定刻測位の測位間隔及び終了日時を取得し、取得した測位間隔で定期的に、被管理端末２ｂ’の測位をＧＰＳ部２６に指示する。
【０１５８】
ＧＰＳ部２６から測位データが供給された場合に、設定部２５３’は、測位データを端末記憶部２２ｂ’に格納する。
【０１５９】
取得した終了日時を経過した場合に、設定部２５３’は、設定の完了を示すメッセージを作成する。そして、設定部２５３’は、作成したメッセージの、設定の完了を通知する管理端末２ａへの送信をメッセージ送受信部２５１に指示する。
【０１６０】
一方、被管理者により端末操作部２３’を介して、被管理端末２ｂ’の測位が要求された場合に、設定部２５３’は、被管理端末２ｂ’の測位をＧＰＳ部２６に指示する。
【０１６１】
ＧＰＳ部２６から測位データが供給された場合に、設定部２５３’は、設定の完了を示すメッセージを作成する。そして、設定部２５３’は、作成したメッセージの、設定の完了を通知する管理端末２ａへの送信をメッセージ送受信部２５１に指示する。
【０１６２】
２．３．被管理端末情報管理サーバ６の構成
被管理端末情報管理サーバ６の概略構成は、図６（ａ）に示されるものと同一であるので、以下では説明を省略する。
【０１６３】
３．端末管理システム１の動作
図１１は、端末管理システム１の動作シーケンスの一例を示す図である。
【０１６４】
図１１（ａ）は、設定指示が「測位」である場合の、端末管理システム１の動作シーケンスの一例を示す図である。
なお、これらのステップのうち、ステップＳ１００〜Ｓ１１０、Ｓ１２６、及びＳ１２８については、図７に示されるものと同一であるので、以下では説明を省略する。
【０１６５】
設定部２５３は、受信したメッセージの送信管理端末２ａが設定可能管理端末２ａであるか否かを判定する（ステップＳ１１２）。
【０１６６】
設定可能管理端末２ａである場合に（ステップＳ１１２−Ｙｅｓ）、設定部２５３’は、抽出した設定指示の種別を判定する（ステップＳ３００）。
【０１６７】
抽出した設定指示が「測位」である場合に（ステップＳ３００−Ｙｅｓ）、設定部２５３’は、被管理端末２ｂ’の測位を行う（ステップＳ３０２）。
【０１６８】
測位が完了した場合に、設定部２５３’は、設定の完了を示すメッセージを作成する（ステップＳ１２４）。
【０１６９】
図１１（ｂ）は、端末操作部２３’を介して被管理端末２ｂ’の測位が要求された場合の、端末管理システム１の動作シーケンスの一例を示す図である。
なお、これらのステップのうち、ステップＳ１２６及びＳ１２８については、図７に示されるものと同一であるので、以下では説明を省略する。
【０１７０】
被管理者により端末操作部２３’を介して、被管理端末２ｂ’の測位が要求された場合に、設定部２５３’は、被管理端末２ｂ’の測位を行う（ステップＳ３０２）。
【０１７１】
測位が完了した場合に、設定部２５３’は、設定の完了を示すメッセージを作成する（ステップＳ１２４）。
【０１７２】
以上説明してきたように、主にＧＰＳ測位機能のみを備える被管理端末２ｂ’についても、本発明により、その設定（主に測位）を簡便に行うことが可能となる。
【０１７３】
なお、本発明は、本実施形態に限定されるものではない。例えば、本実施形態では、測位データを無条件に送信するものとしたが、条件を設定してもよい。例えば、被管理端末２ｂが所定の地点又は地域から所定の距離又は時間離れた、所定の地点又は地域に所定の距離又は時間近づいた、若しくは所定の地域に所定の距離又は時間入ったことを条件として設定してもよい。また、このような条件は、管理者が管理端末２ａを用いて設定してもよいし、被管理端末２ｂが外部から取得して設定してもよいし、被管理端末２ｂが過去の測位データに基づいて設定してもよい。さらに、このような条件が成立した場合に、測位データを送信するのに併せて又は代えて、被管理端末２ｂを鳴動させてもよい。
【０１７４】
また、本実施形態では、設定指示が「連続測位」や「定刻測位」である場合に、定期的に測位を行い、そのデータを一括して送信するものとしたが、その都度送信してもよい。
【０１７５】
また、本実施形態では、測位データを管理端末２ａに送信するものとしたが、管理端末２ａ以外に送信してもよい。例えば、ＳＮＳ（Social Networking Service）やブログサービス、災害用伝言板サービス等に投稿してもよい。
【０１７６】
また、本実施形態では、測位データの表示態様については特に言及しなかったが、内蔵の又は外部から取得した地図データと重畳させて表示してもよい。また、過去の測位データとの差分を表示してもよいし、その差分に基づいて様々な案内文（例えば、総消費カロリー量や消費カロリー量の増減、ガイド、アドバイス等）を表示してもよい。
【０１７７】
また、本実施形態では、測位データの利用態様についても特に言及しなかったが、測位データに基づいて様々な案内情報（例えば、天気予報や警報、周辺の施設の紹介等）を配信してもよい。
【０１７８】
また、端末処理部２５ａ、２５ｂ、及びサーバ処理部６３が備える各機能をコンピュータに実現させるためのコンピュータプログラムは、半導体記録媒体、磁気記録媒体、光記録媒体等のコンピュータにより読み取り可能な記録媒体に記録された形で提供され、当該記録媒体から公知のセットアッププログラム等を用いて端末記憶部２２ａ、２２ｂ、及びサーバ記憶部６２にインストールされてもよい。
【０１７９】
当業者は、本発明の精神及び範囲から外れることなく、様々な変更、置換及び修正をこれに加えることが可能であることを理解されたい。
【符号の説明】
【０１８０】
１    端末管理システム
２    携帯端末
２ａ    管理端末
２ｂ    被管理端末
２１    端末通信部
２２ａ、２２ｂ    端末記憶部
２３    端末操作部
２４    端末表示部
２５ａ、２５ｂ    端末処理部
２５１    メッセージ送受信部
２５２    設定要求部
２５３    設定部
２５４    計時部
２６    ＧＰＳ部
３    基地局
４    通信ネットワーク
５    ＭＭＳサーバ
６    被管理端末情報管理サーバ
６１    サーバ通信部
６２    サーバ記憶部
６３    サーバ処理部
【要約】
【課題】本発明は、設定を簡便に行うことを可能とする端末等を提供することを目的とする。
【解決手段】本発明に係る端末は、他の端末からメッセージを受信可能な端末（２ｂ）であって、通信を行う通信部（２１）と、端末の設定を行うことが可能な他の端末を設定可能端末として記憶する記憶部（２２ｂ）と、他の端末から通信部を介してメッセージを受信した場合において、メッセージに端末の設定を行うための設定指示が含まれるときは、他の端末が設定可能端末であるときに、設定指示に基づいて端末の設定を行う設定部（２５３）とを備える。
【選択図】図５【図１】
0005583255.tif 000002
【図２】
0005583255.tif 000003
【図３】
0005583255.tif 000004
【図４】
0005583255.tif 000005
【図５】
0005583255.tif 000006
【図６】
0005583255.tif 000007
【図７】
0005583255.tif 000008
【図８】
0005583255.tif 000009
【図９】
0005583255.tif 000010
【図１０】
0005583255.tif 000011
【図１１】
0005583255.tif 000012